(57)【要約】  飲料などの製品を分配する冷却器であって、単一の製品区画にアクセスする複数の扉を有する。冷却器は、製品区画を画定するハウジングと、ヒンジにおいてハウジングの上面に結合された上部扉であって、湾曲透明パネルを備える、上部扉と、ハウジングの垂直前面に結合された垂直扉と、製品区画内に配置された折り畳み式棚であって、拡張位置と後退位置との間で移動するように構成された折り畳み式棚と、製品区画内の折り畳み式棚の下方に配置された下部棚と、を含むことができる。折り畳み式棚に配設された製品は、折り畳み式棚が拡張位置にあるときに上部扉を介してアクセス可能とすることができ、下部棚に配設された製品は、折り畳み式棚が後退位置にあるときに上部扉を介してアクセス可能とすることができる。
2021534881.tif 000002
【特許請求の範囲】
【請求項１】
製品を分配する冷却器であって、
製品区画を画定するハウジングと、
ヒンジにおいて前記ハウジングの上面に結合された上部扉であって、湾曲透明パネルを備える、上部扉と、
前記ハウジングの垂直前面に結合された垂直扉と、
前記製品区画内に配設された折り畳み式棚であって、拡張位置と後退位置との間で移動するように構成された、折り畳み式棚と、
前記製品区画内の前記折り畳み式棚の下方に配設された下部棚であって、前記折り畳み式棚が、前記折り畳み式棚が前記拡張位置にあるときに前記折り畳み式棚に配設された製品が上部扉を介してアクセス可能であり、前記折り畳み式棚が後退位置にあるときに前記下部棚に配設された製品が前記上部扉を介してアクセス可能であるように構成された、下部棚と、を備える、冷却器。
【請求項２】
前記ヒンジが、ガスばねヒンジを備える、請求項１に記載の冷却器。
【請求項３】
前記湾曲透明パネルが、マルチペインガラスパネルである、請求項１に記載の冷却器。
【請求項４】
前記上部扉が前縁部を備え、前記湾曲透明パネルが、前記ヒンジから前記前縁部まで延在する、請求項１に記載の冷却器。
【請求項５】
前記湾曲透明パネルが、前記ハウジングの最前縁部から前記ハウジングの最後縁部まで延在する、請求項１に記載の冷却器。
【請求項６】
前記ハウジングが、前記冷却器の後縁部から前記垂直扉に向かって延在する上部後部を備え、前記ヒンジが前記折り畳み式棚に配設された製品の列上に配設されるように、前記ヒンジが前記上部後部の前方に配設されている、請求項１に記載の冷却器。
【請求項７】
前記垂直扉が透明パネルを備える、請求項１に記載の冷却器。
【請求項８】
前記折り畳み式棚が、上部段及び下部段を備える、請求項１に記載の冷却器。
【請求項９】
前記折り畳み式棚が、前記拡張位置及び前記後退位置に製品を支持するように構成されている、請求項１に記載の冷却器。
【請求項１０】
前記垂直扉が透明パネルを備え、前記折り畳み式棚が上部段及び下部段を備え、前記上部段に配設された製品と、前記下部段に配設された製品と、前記下部棚に配設された製品とが、前記冷却器の前方に位置する消費者に見えるように、前記垂直扉の透明パネル及び前記湾曲透明パネルが構成されている、請求項１に記載の冷却器。
【請求項１１】
前記ハウジングの前記上面が、前記ハウジングの前記垂直前面に対して実質的に垂直な水平面を備える、請求項１に記載の冷却器。
【請求項１２】
製品を分配する冷却器であって、
フレームと、
前記フレームの周囲に配設されたハウジングであって、単一の製品区画を画定し、前記ハウジングの上面にある上部開口部と、前記ハウジングの前面にある垂直開口部と、を備える、ハウジングと、
前記上部開口部の上に配設された上部扉であって、水平面と、湾曲透明パネルと、を備え、前記上部扉が、前記製品区画へのアクセスを可能にする開放位置と閉鎖位置との間で移動するように構成されるようにヒンジにおいて前記ハウジングに結合された、上部扉と、
前記製品区画へのアクセスを可能にする開放位置と閉鎖位置との間で移動するように構成された前記垂直開口部の上に配設された垂直扉と、
上部段及び下部段とを備える最上棚であって、前記下部段が前記上部段の直下に配設される拡張位置と後退位置との間で移動するように構成された、最上棚と、
前記折り畳み式棚の下方に配設された下部棚と、を備える、冷却器。
【請求項１３】
前記ヒンジが、前記上部扉の前記水平面に結合されている、請求項１２に記載の冷却器。
【請求項１４】
前記上部扉の開放位置において、前記上部扉の前記水平面と前記ハウジングの上面との間の角度が、約６０度から約９０度である、請求項１２に記載の冷却器。
【請求項１５】
前記下部棚の下方に配設された冷凍ユニットを更に備える、請求項１２に記載の冷却器。
【請求項１６】
前記湾曲透明パネルが、マルチペインガラスパネルである、請求項１２に記載の冷却器。
【請求項１７】
前記ヒンジが、前記製品区画内に配設されている、請求項１２に記載の冷却器。
【請求項１８】
前記垂直扉が透明パネルを備え、前記上部段に配設された製品、前記下部段上に配設された製品、及び前記下部棚に配設された製品が、前記冷却器の前方に位置する消費者に見えるように、前記垂直扉の透明パネル及び前記湾曲透明パネルが構成されている、請求項１２に記載の冷却器。
【請求項１９】
前記ハウジングの外面に結合された貯蔵バスケットを更に備える、請求項１２に記載の冷却器。
【請求項２０】
前記ヒンジが、ガスばねヒンジを備える、請求項１２に記載の冷却器。
【請求項２１】
製品を分配する冷却器であって、
フレームと、
前記フレームの周囲に配設されたハウジングであって、製品区画を画定し、前記ハウジングの上面にある上部開口部と、前記ハウジングの前面にある垂直開口部と、を備える、ハウジングと、
前記上部開口部の上に配設された透明パネルを備える上部扉と、
前記垂直開口部の上に配設された垂直扉と、
上部段及び下部段を備える最上棚であって、前記下部段が、拡張位置と前記下部段が前記上部段の下方に配設される後退位置との間で移動するように構成された、最上棚と、
前記下部棚に配設された第１の製品列及び第２の製品列を有するように構成された折り畳み式棚の下方に配設された下部棚であって、前記上部扉及び前記最上棚が前記製品区画内の空気流の増加を促進するように構成された、下部棚と、を備える、冷却器。
【請求項２２】
前記上部扉が、フラットガラス扉、湾曲扉、ボウル形状扉、ヒンジ機構、及びスライド機構からなる群から選択される特性を備える、請求項２１に記載の冷却器。
【発明の詳細な説明】
【技術分野】
【０００１】
記載された実施形態は、一般に、冷却器に関する。特に、実施形態は、飲料及び／又は食品製品を分配する上部扉及び垂直扉を有する冷却器に関する。
【背景技術】
【０００２】
多くの場合、腐敗しやすい食品及び飲料品は、制御された冷却貯蔵環境を必要とする。したがって、閉鎖空間の環境を制御する機構を含む多くの貯蔵ユニットが開発されてきた。これらのユニットの大部分は、冷却ユニットから製品を取り出すための貯蔵ユニットの閉鎖された内部空間へのアクセスを提供する扉のような何らかの種類のアクセスポータル、又はスライド可能なウィンドウを有する。しかしながら、これらの冷却器は、多くの場合、消費者が所望の製品を容易に識別して回収することができないように、冷却器に収容された製品の限られた視認性と、単一のアクセスポータルを介した製品への限られたアクセスとを提供する。
【発明の概要】
【０００３】
一部の実施形態は、製品を分配する冷却器であって、製品区画を画定するハウジングと、ヒンジにおいてハウジングの上面に結合された上部扉であって、湾曲透明パネルを備える、上部扉と、ハウジングの垂直前面に結合された垂直扉と、製品区画内に配置された折り畳み式棚であって、拡張位置と後退位置との間で移動するように構成された折り畳み式棚と、製品区画内の折り畳み式棚の下方に配置された下部棚と、を備える、冷却器に関する。折り畳み式棚は、折り畳み式棚が拡張位置にあるときに折り畳み式棚に配設された製品が上部扉を介してアクセス可能であり、折り畳み式棚が後退位置にあるときに下部棚に配設された製品が上部扉を介してアクセス可能であるように構成されることができる。
【０００４】
一部の実施形態は、製品を分配する冷却器であって、フレームと、フレームの周囲に配設されたハウジングであって、単一の製品区画を画定し、ハウジングの上面にある上部開口部と、ハウジングの前面にある垂直開口部と、を備える、ハウジングと、上部開口部の上に配設された上部扉であって、水平面と、湾曲透明パネルと、を備え、上部扉が、製品区画へのアクセスを可能にする開放位置と閉鎖位置との間で移動するように構成されるようにヒンジにおいてハウジングに結合された、上部扉と、製品区画へのアクセスを可能にする開放位置と閉鎖位置との間で移動するように構成された垂直開口部の上に配設された垂直扉と、上部段及び下部段を備える最上棚であって、下部段が拡張位置と下部段が上部段の直下に配設される後退位置との間で移動するように構成された、最上棚と、折り畳み式棚の下方に配設された下部棚と、を有する、冷却器に関する。
【０００５】
一部の実施形態は、製品を分配する冷却器であって、フレームと、フレームの周囲に配設されたハウジングであって、製品区画を画定し、ハウジングの上面にある上部開口部と、ハウジングの前面にある垂直開口部と、を備える、ハウジングと、上部開口部の上に配設された透明パネルを備える上部扉と、垂直開口部の上に配設された垂直扉と、上部段及び下部段を備える最上棚であって、拡張位置と下部段が上部段の下方に配置される後退位置との間で移動するように構成され、下部段が上部段の下方に配設された、最上棚と、垂直扉と、下部棚に配設された第１の製品列及び第２の製品列を有するように構成された折り畳み式棚の下方に配置された下部棚と、を有する、冷却器に関する。上部扉及び最上棚は、製品区画内の空気流の増加を促進するように構成される。
【０００６】
本明細書に記載される様々な実施形態のいずれかにおいて、冷却器ハウジング及び冷却器上部扉に結合されたヒンジは、ガスばねヒンジとすることができる。冷却器上部扉は、マルチペインガラスパネルである湾曲透明パネルを含むことができる。湾曲透明パネルは、ヒンジから冷却器ハウジングの前縁部まで延在することができる。湾曲透明パネルは、冷却器ハウジングの最前縁部からハウジングの最後縁部まで延在することができる。冷却器ハウジングは、冷却器の後縁部から垂直扉に向かって延在する上部後部を含むことができ、ヒンジは、ヒンジが折り畳み式棚に配設された製品列の上に配設されるように、上部扉の上部後部の前方に配設されることができる。垂直扉は、透明パネルを含むことができる。折り畳み式棚は、上部段及び下部段を備えることができる。折り畳み式棚は、製品を拡張位置及び後退位置に支持するように構成されることができる。垂直扉は、透明パネルを備えることができ、上部段に配設された製品、下部段に配設された製品、及び下部棚に配設された製品が、冷却器の前方に位置する消費者に見えるように、垂直扉の透明パネル及び湾曲透明パネルが構成されることができる。ハウジングの上面は、ハウジングの垂直前面に実質的に垂直な水平面を備えることができる。
【図面の簡単な説明】
【０００７】
【図１】実施形態に係る冷却器の概略図である。
【０００８】
【図２】実施形態に係る閉鎖構成にある上部蓋を有する冷却器の側断面図である。
【０００９】
【図３】実施形態に係る開放構成にある上部蓋を有する冷却器の側断面図である。
【００１０】
【図４】実施形態に係る冷却器内に貯蔵された、消費者がアクセスする製品を示している。
【００１１】
【図５】実施形態に係る折り畳み式棚を有する冷却器の部分断面斜視図である。
【００１２】
【図６】実施形態に係る折り畳み式棚を有する冷却器の部分断面斜視図である。
【００１３】
【図７】実施形態に係る冷却器の部分断面斜視図である。
【００１４】
【図８】実施形態に係る冷却器の部分断面斜視図である。
【００１５】
【図９】実施形態に係る冷却器の背面斜視図である。
【００１６】
【図１０】実施形態に係る冷却器内の空気流の概略図である。
【００１７】
【図１１】実施形態に係る冷却器上部扉の上面斜視図である。
【００１８】
【図１２】実施形態に係る冷却器上部扉の上面斜視図である。
【００１９】
【図１３】実施形態に係る冷却器上部扉の上面斜視図である。
【００２０】
【図１４】実施形態に係る冷却器上部扉の上面斜視図である。
【００２１】
【図１５】実施形態に係る冷却器上部扉の上面斜視図である。
【００２２】
【図１６】実施形態に係る冷却器上部扉の上面斜視図である。
【００２３】
【図１７】実施形態に係る冷却器上部扉の上面斜視図である。
【００２４】
【図１８】実施形態に係る冷却器上部扉の正面斜視図である。
【００２５】
【図１９】実施形態に係る冷却器上部扉の正面斜視図である。
【００２６】
【図２０】実施形態に係る外部貯蔵装置を有する冷却器の斜視図である。
【００２７】
【図２１】実施形態に係る外部貯蔵装置を有する冷却器の拡大部分斜視図である。
【発明を実施するための形態】
【００２８】
以降、添付図面に例示されるような本発明の実施形態を参照して、本発明（複数可）を詳細に説明する。「一実施形態（one embodiment）」、「一実施形態（an embodiment）」、「例示的な実施形態（an exemplary embodiment）」などの言及は、記載された実施形態が特定の特徴、構造、又は特性を含み得るが、全ての実施形態が特定の特徴、構造、又は特性を必ずしも含むわけではないことを示す。更に、このような句は、必ずしも同じ実施形態を言及するものではない。更に、特定の特徴、構造、又は特性が実施形態と関連して記載される場合、明確に記載されているかどうかに関わりなく、他の実施形態と関連するこのような特徴、構造、又は特性への影響は、当業者の知見内であるものとする。
【００２９】
実施形態は、複数の製品１０を貯蔵及び分配する冷却器１００を含む。製品１０は、消費者によって上部扉１３０及び垂直扉１４０を介してアクセスされることができる製品区画１１４内に貯蔵されることができる。冷却器１００は、折り畳み式棚１２０と、折り畳み式棚１２０の下方に配設された少なくとも１つの下部棚１２６とを含む。実施形態では、冷却器１００は、製品区画１１４内の空気流の増加を促進するように構成されている。実施形態では、上部扉１３０及び垂直扉１４０は、製品区画１１４内に配設された製品１０の視認性を高めるように構成されている。
【００３０】
製品区画１１４に貯蔵された製品１０は、任意の所望の腐敗しやすい製品又は非腐敗可能な製品を含むことができる。一実施形態では、製品１０は、ボトル、缶、又は袋などの個別に包装された製品を含む。製品１０は、これらに限定されるものではないが、ソフトドリンク、水、炭酸水、乳飲料、ジュース、アルコール飲料、スポーツ飲料、スムージー、コーヒー飲料、茶飲料、及びミルクセーキを含むことができる。製品１０はまた、スナック食品も含むことができる。
【００３１】
例えば、図１及び図２に示されるように、冷却器１００は、冷却器についての外側ケーシングを形成するハウジング１１０を含む。内壁１１５を含むハウジング１１０の内部は、製品区画１１４を画定する。実施形態では、製品区画１１４は、単一の一体型製品区画である。このようにして、製品区画１１４は、分離壁を含まず、製品区画１１４へのアクセスは、冷却器１００に貯蔵された全ての製品１０へのアクセスを提供する。ハウジング１１０は、製品区画１１４の断熱を提供することができるプラスチック又は他の好適な材料から作製されることができる。実施形態では、冷却器１００は、冷却器１００の支持を提供するためのフレーム１１２を含み、ハウジング１１０は、フレーム１１２の周囲に配設される。冷却器１００は、ユーザによって容易に移動されることができるようにホイール１１７を含むことができる。冷却器は、任意の所望のサイズ及び形状を有することができる。
【００３２】
上部扉１３０は、ヒンジアセンブリ１５０によってハウジング１１０の上面１１６に結合され、冷却器１００内の上部開口部３０を覆うように構成されている。例えば、前縁部１３１において上部扉１３０に配設されたハンドル１３６は、上部扉１３０を開放位置に移動させ、製品区画１１４へのアクセスを得るために、ユーザによって操作されることができる。一部の実施形態では、ヒンジアセンブリ１５０は、手動操作なしに上部扉１３０が自動的に開放及び／又は閉鎖されることができるように、モータ及びコントローラに結合されることができる。
【００３３】
一実施形態では、ヒンジアセンブリ１５０は、ハウジング１１０及び上部扉１３０に結合されたヒンジ１５２と、ハウジング１１０及び上部扉１３０に結合された空気圧シリンダ１５４とを含む、ガスばねヒンジを備える。このように、ヒンジアセンブリ１５０の空気圧シリンダ１５４は、上部扉１３０の容易な開放を促進し、上部扉１３０の制御された緩慢な閉鎖を促進するように構成されている。一実施形態では、ヒンジアセンブリ１５０は、後部パネル１３４において上部扉１３０に結合されている。一実施形態では、ヒンジアセンブリ１５０は、例えば、図８に示されるように、上部扉１３０が閉鎖構成にあるとき、製品区画１１４内に完全に配設される。
【００３４】
実施形態では、例えば、図１〜図４に示されるように、上部扉１３０は湾曲している。実施形態では、例えば、図１に示されるように、上部扉１３０は、湾曲透明パネル１３２であるパネル１３２を含む。実施形態では、透明パネル１３２は、マルチペインガラスパネルである。このようにして、透明パネル１３２は、冷却器１００からの低減した熱損失を提供することができる。実施形態では、上部扉１３０は、例えば、図３に示されるように、ハウジング１１０の最前縁部１１１からハウジング１１０の最後縁部１１３まで延在する。一部の実施形態では、パネル１３２の全て又は一部は不透明とすることができる。チェストクーラと比較して、例えば、湾曲した上部扉１３０を有する冷却器１００は、製品貯蔵を低減することなく、より小さな製品区画１１４が使用されることを可能にすることができる。
【００３５】
一実施形態では、上部扉１３０は、上部扉１３０の後部に配設された後部パネル１３４を含む。後部パネル１３４は、例えば、図２に示されるように、地面に対して実質的に平行であるように水平に配設されることができる。一実施形態では、透明パネル１３２は、ハウジング１１０の最前縁部１１１から後部パネル１３４まで延在し、後部パネル１３４は、透明パネル１３２からハウジング１１０の最後縁部１１３まで延在する。一実施形態では、後部パネル１３４及び透明パネル１３２は、共に、上部扉１３０及びカバー上部開口部３０全体を構成する。一実施形態では、例えば、図３に示されるように、後部パネル１３４は、上部扉１３０が開放されたときに後部パネル１３４及びパネル１３２が開放するように、パネル１３２と共に移動することができる。一実施形態では、上部扉１３０が開放されたときに後部パネル１３４が開放又は移動せず、固定された後部パネル１３４の上面がボトル及びスナックパケットのような周囲製品を定置するために使用されることができるように、後部パネル１３４が固定されることができる。例えば、図３に示されるように、一実施形態では、ヒンジアセンブリ１５０は、冷却器の高さに基づいて、上部扉１３０が後部パネル１３４とハウジング１１０の上面１１６との間の約６０度から約９０度の角度Θに開放されることができるように動作することができる。これは、製品区画１１４内の製品へのアクセスを容易にすることができる。一部の実施形態では、上部扉１３０は、扉を介した製品区画１１４へのアクセスを防止するためのロックを含んでもよい。後部パネル１３４は、透明又は不透明とすることができる。
【００３６】
垂直扉１４０は、ハウジング１１０に結合され、冷却器１００の前面１１８に形成された垂直開口部４０を覆うように構成されている。実施形態では、垂直扉１４０は、透明パネル１４２を含む。実施形態では、垂直扉１４０は、床に対して実質的に垂直であり、製品区画１１４内の全ての棚は、例えば、図２に示されるように、床に実質的に平行である。このようにして、水平開口部３０の平面及び垂直開口部４０の平面もまた、実質的に垂直である。一部の実施形態では、垂直扉１４０は、扉を介した製品区画１１４へのアクセスを防止するためのロックを含んでもよい。実施形態では、垂直扉１４０は、冷却器１００の前面１１８全体を覆う全長扉である。
【００３７】
冷却器１００は、製品区画１１４内に製品１０を貯蔵及び陳列するための複数の棚を含む。実施形態では、冷却器１００は、上部段１２２及び下部段１２４を備える折り畳み式棚１２０を含む。一実施形態では、折り畳み式棚１２０は、冷却器１００内の最上棚である。１つ以上の下部棚１２６は、折り畳み式棚１２０の下方に配設される。製品１５は、所与の棚の第１の列に配設されることができ、製品１７は、第２の又は後方の列に配設されることができる。折り畳み式棚１２０は、下部段１２４が上部段１２２から離れる方向に延在する拡張位置と、下部段１２４が後退して上部段１２２の直下に配設される後退位置との間で移動するように構成されている。実施形態では、例えば、図５及び図６に示されるように、冷却器１００は、内壁１１５に結合されたローラ１２１を含むことができる。下部段１２４及び上部段１２２のうちの少なくとも１つは、上部段１２２に対する下部段１２４の移動を容易にするためにローラ１２１上に配設されることができる。実施形態では、上部段１２２は、下部段１２４に対して移動することができる。ローラ１２１は、下部段１２４及び上部段１２２の長さに沿って配設されることができる。
【００３８】
実施形態では、上部段１２２に配設された製品１２及び下部段１２４に配設された製品１４は、例えば、図１に示されるように、透明パネル１３２を含む上部扉１３０を介して視認可能である。実施形態では、例えば、図１に示されるように、上部段１２２に配設された製品１２及び下部段１２４に配設された製品１４は、透明パネル１３２を含む上部扉１３０を介して視認可能であり、下部棚１２６に配設された製品１６は、透明パネル１４２を含む垂直扉１４０を介して視認可能である。第１の列及び冷却器１００の後方の列に配設された製品を含む製品区画内に配設された製品１０の視認性の向上は、消費者の意識及び購入を促進することができる。ハウジング１１０の内部は、折り畳み式棚１２０に配設された製品１２及び製品１４、並びに下部棚１２６に配設された製品１６の双方が明確に照明されるように、例えば、扉の中方立てに配置されたＬＥＤ照明などの照明を含むことができる。
【００３９】
実施形態では、折り畳み式棚１２０は、製品区画１１４内に配設された製品へのアクセスを容易にする。図４を参照すると、下部段１２４が後退位置にあるとき、ユーザは、製品区画１１４内に配設された製品に、より便利にアクセスすることができる。例えば、下部段１２４が後退位置にあるとき、ユーザは、上部扉１３０を介して下部棚１２６に配設された製品１６にアクセスすることができる。これは、冷却器１００内に配設された製品が季節製品を含む場合など、消費者需要に基づいて、操作者（例えば、ユーザ又は店舗所有者）に対する更なる利便性を提供することができる。例えば、より低い消費者需要の時間中（例えば、冬季の間）、折り畳み式棚１２０は、拡張位置に設けられることができ、製品は、上部段１２２及び下部段１２４に配設されることができる。同時に、操作者（例えば、店舗所有者）は、製品区画１１４内の製品を折り畳み式棚１２０の下方に貯蔵しないように選択することができる。操作者は、消費者が上部扉１３０を介して冷却器１００内の製品のみにアクセスすることができるように、垂直扉１４０をロックするように選択することができる。このように、需要が少なく、少ない製品しか必要とされない場合、冷却器１００の冷却能力は、効率的に維持されることができ、全体的なエネルギ消費を低減することができる。また、冷却器１００の貯蔵容量及び使用容量は柔軟とすることができる。
【００４０】
このようにして、ユーザは、同じ扉を介して製品区画の２つの別個の領域に配設された製品１０にアクセスすることができる。例えば、ユーザは、上部扉１３０を介して、製品区画１１４の上部に配設された製品（折り畳み式棚１２０の上方に配設された製品）及び製品区画１１４の下部に配設された製品（折り畳み式棚１２０の下方に配設された製品）にアクセスすることができる。実施形態では、ユーザは、別個のアクセス、すなわち、垂直扉１４０を介して製品区画１１４の下部の製品に同時にアクセスすることができる。
【００４１】
製品区画１１４の温度を冷却及び維持するための冷却ユニット１６０は、ハウジング１１０内に配設される。冷却ユニット１６０は、例えば、冷凍システムとすることができる。冷却ユニット１６０は、ハウジング１１０内に部分的に又は全体的に配設されることができる。冷却ユニット１６０は、製品区画１１４内に冷却空気を生成及び分配するために動作可能に接続された、圧縮機１６２と、内部凝縮器１６４と、蒸発器１６６と、ファン１６８と、を含む。一実施形態では、例えば、図２に示されるように、蒸発器１６６は、ハウジング１１０内に配設される。一実施形態では、圧縮機１６２及び凝縮器１６４は、下部棚１２６の下方に配設され、下部棚１２６は、製品区画１１４内の最下棚である。例えば、一実施形態では、圧縮機１６２及び凝縮器１６４は、ハウジング１１０内に形成されたキャビティ１１９内に配設される。キャビティ１１９は、例えば、図２に示されるように、製品１０がキャビティ１１９の前方の冷却器１００内に配置されることができるように、下部棚１２６の下方の製品区画１１４の後部にあることができる。他の実施形態では、凝縮器１６４は、例えば、ハウジング１１０の外側背面上など、外部に配設されてもよい。
【００４２】
実施形態の図１０を参照すると、冷却器１００は、矢印２００によって概略的に示される空気流の増加を促進するように構成されている。具体的には、上部扉１３０及び折り畳み式棚１２０は、製品区画１１４内の空気流の増加を促進するように構成されることができ、これは、冷却器内の空気分配及び均一な冷却の改善をもたらすことができる。図１０に示されるように、例えば、冷却ユニット１６０からの空気は、空気が蒸発器１６６を含む冷却器の後部内壁１１５に沿って移動するように、ファン１６８において製品区画１１４内に吹き込まれることができる。製品区画１１４は、空気がキャビティ１１９の上面及び製品区画１１４の床から偏向し、次いで区画内で移動するように構成されている。特にパネル１３２が湾曲している実施形態では、空気流が上部扉１３０のパネル１３２に到達すると、空気は、それが下部段１２４上の製品１４及び上部段１２２上に配設された製品１２、並びに所与の棚上の第１の列に配設された製品１５及び第２の列又は後方の列に配設された製品１７に同時に到達するように偏向する。
【００４３】
図１１〜図１８を参照すると、上部扉１３０の更なる実施形態が説明される。上部扉１３０の実施形態は、本明細書に記載される特徴のうちの任意の１つ以上と併せて使用されることができる。実施形態では、上部扉１３０は、例えば、図１１に示されるように、ハウジング１１０の前縁部１１１からハウジング１１０の後縁部１１３まで延在する単一の全長パネル１３２を備える。実施形態では、上部扉１３０は、例えば、図１２に示されるように、ハウジング１１０の前縁部１１１からハウジング１１０の後縁部１１３まで上向きに角度付けされた単一の平坦パネル１３２を備える。実施形態では、上部扉１３０は、例えば、図１３に示されるように、扉を上部扉１３０の中心に向かって左方向又は右方向にそれぞれスライドさせることによって開放されることができる２つの湾曲した扉を備える。実施形態では、上部扉１３０は、例えば、図１４に示されるように、扉を上部扉１３０の中心に向かって上方向又は下方向にそれぞれスライドさせることによって開放されることができる２つの平坦扉を備える。実施形態では、上部扉１３０は、例えば、図１５に示されるように、扉を上部扉１３０の中心に向かって左方向又は右方向にそれぞれスライドさせることによって開放されることができる２つの平坦扉を備える。実施形態では、上部扉１３０は、例えば、図１６に示されるように開放されることができる２つの平坦なヒンジ式扉を備える。実施形態では、上部扉１３０は、例えば、図１７に示されるように、固定された後部パネル１３４及びヒンジ付き前部扉を備える。実施形態では、上部扉１３０は、例えば、図１８に示されるように、全長透明パネル１３２及び透明サイドパネル１３８を備える。実施形態では、上部扉１３０は、例えば、図１９に示されるように、冷却器１００の各側に湾曲したパネルを有する透明な完全ボウル形状のカバーである。これは、冷却器１００の全ての側面からの製品視認性を促進することができる。実施形態では、上部扉１３０、又はその一部は、冷却器１００内の製品が視認可能であり得るように、透明パネルを備えることができる。
【００４４】
実施形態では、冷却器１００は、冷却器ハウジング１１０の外側に製品１０を貯蔵及び陳列するための外部貯蔵装置１７０を含むことができる。実施形態では、例えば、図２０及び図２１に示されるように、外部貯蔵装置１７０は、装着部材１７２において冷却器ハウジング１１０に装着されることができる１つ以上のバスケット１７０を備えることができる。装着部材１７２は、ハウジング１１０に固定されたブラケット、及びバスケット１７０の一部分を受容するための開口部を含むことができる。外部貯蔵装置１７０は、モジュール式とすることができ、ハウジング１１０から効率的に追加及び取り外されることができる。
【００４５】
「発明の概要」及び「要約」のセクションではなく、「発明を実施するための形態」のセクションは、「特許請求の範囲」を解釈するために使用されることが意図されていることを理解されたい。「発明の概要」及び「要約」のセクションは、本発明者（ら）によって想到されるような、本発明の１つ以上であるが全てではない例示的な実施形態を示し得るが、本発明（複数可）及び添付の特許請求の範囲をいかようにも限定することを意図するものではない。
【００４６】
これまでに、特定機能の実施、及びこれらの関係を例示する機能的ビルディングブロックを使って、本発明（複数可）について説明してきた。これらの機能的ビルディングブロックの境界は、説明の便宜上、本明細書において任意に定義されている。特定の機能及びこれらの関係が適切に行われる限り、代替の境界を定義することができる。
【００４７】
特定実施形態の前述の説明により、本発明（複数可）の一般的な性質が完全に明らかになり、他者が、当業者の知識を適用することによって、過度の試行錯誤をすることなく、本発明の一般的な概念を逸脱することなく、そのような特定の実施形態を様々な用途に容易に修正及び／又は適合させることができる。したがって、そのような適合及び修正は、本明細書で提示した教示及び指導に基づいて、開示された実施形態の等価物の意味及び範囲内にあることが意図される。本明細書の表現法又は用語法は、説明を目的とするものであって、限定するものではないことを理解されたく、それ故、本明細書の用語法又は表現法は、教示及び指導の観点から当業者によって解釈されるべきである。
【００４８】
本発明（複数可）の幅及び範囲は、上述の例示的な実施形態のいずれによっても限定されるべきではなく、下記「特許請求の範囲」及びこれらの等価物に従ってのみ規定されるべきである。
【図１】
2021534881.tif 000003
【図２】
2021534881.tif 000004
【図３】
2021534881.tif 000005
【図４】
2021534881.tif 000006
【図５】
2021534881.tif 000007
【図６】
2021534881.tif 000008
【図７】
2021534881.tif 000009
【図８】
2021534881.tif 000010
【図９】
2021534881.tif 000011
【図１０】
2021534881.tif 000012
【図１１】
2021534881.tif 000013
【図１２】
2021534881.tif 000014
【図１３】
2021534881.tif 000015
【図１４】
2021534881.tif 000016
【図１５】
2021534881.tif 000017
【図１６】
2021534881.tif 000018
【図１７】
2021534881.tif 000019
【図１８】
2021534881.tif 000020
【図１９】
2021534881.tif 000021
【図２０】
2021534881.tif 000022
【図２１】
2021534881.tif 000023
【国際調査報告】
2021534881.tif 000024